(57)【要約】【課題】狭い場所であっても楽器を容易に出し入れすることができると共に、楽器の落下を抑制でき、しかも、軽量化を図ることができる楽器収容ケースを提供する。【解決手段】この楽器収容ケース１０は、一方向に長い楽器１を収容するものであって、その長手方向を上下にして設置した状態で、楽器１を出し入れできるように構成されており、上端面及び一側面の上部が開口された有底筒状の本体ケース２０と、この本体ケースの上端面開口部２６に適合する天板３１及び前記本体ケース２０の一部側面開口部２８に適合する側板３３を有し、前記側板３３の下端部を前記本体ケース２０にヒンジ４０を介して回動可能に取付けられ、前記本体ケース２０の上端面及び一側面の開口部２６，２８を開閉可能に覆う蓋体３０とを備える。【選択図】図３
2010271698.tif 000002
【特許請求の範囲】
【請求項１】
一方向に長い楽器を収容する楽器収容ケースであって、その長手方向を上下にして設置した状態で、楽器を出し入れできるようにしたものにおいて、
上端面及び一部側面の上部が開口された有底筒状の本体ケースと、
前記本体ケースの上端面開口部に適合する天板及び前記本体ケースの一部側面開口部に適合する側板を有し、前記側板の下端部を前記本体ケースにヒンジを介して回動可能に取付けられ、前記本体ケースの上端面及び一部側面の開口部を開閉可能に覆う蓋体とを備えることを特徴とする楽器収容ケース。
【請求項２】
前記蓋体を開いて下方に回動させたとき、前記本体ケースの底部と前記蓋体の天板とがほぼ同一平面上に位置し、それぞれを着地させて設置することができるように構成されている請求項１記載の楽器収容ケース。
【請求項３】
前記一部側面開口部から見たとき、前記蓋体と前記本体ケースとの合わせ目の両側を結ぶ、本体ケース水平方向に沿った幅は、下方に向かうほど狭くなる形状をなしている請求項１又は２記載の楽器収容ケース。
【請求項４】
前記本体ケースは、一対の対向面が幅広でそれと直交する対向面が幅狭の形状をなし、前記一部側面の開口部は、一方の幅広の面と、それに隣接する両側の面とに亘って形成されている請求項１〜３のいずれか１つに記載の楽器収容ケース。
【請求項５】
前記本体ケースの幅広の対向面の両側部が仕切壁で連結され、前記本体ケースの内部の両側部に楽器付属品の収容部が形成されている請求項４記載の楽器収容ケース。
【請求項６】
前記本体ケースの側面中央部に、楽器収容ケースを横向きにして把持するための取っ手が取付けられると共に、本体ケースの上下部分、又は、本体ケースの下部及び蓋体の上部に、前記本体ケースの長手方向を上下にして背負うための背負いバンドが取付けられている請求項１〜５のいずれか１つに記載の楽器収容ケース。
【請求項７】
炭素繊維の織布で補強された樹脂で形成されている請求項１〜６のいずれか１つに記載の楽器収容ケース。
【請求項８】
前記楽器が、本体部と、この本体部から延出されたネックと、前記本体部の表側に配置された駒部と、この駒部を介して前記本体部及び前記ネックの表側に張設された弦と、前記本体部のネックと反対側の端部にエンドピンを介して取付けられたあご当てとを有する擦弦楽器からなり、前記本体ケースの底部内面に、前記エンドピン近傍を支持する第１保持部が設けられ、前記本体ケースの前記蓋体の側板と対向する内面と、前記蓋体の側板の内面とに、前記ネックを挟持する第２保持部が設けられ、前記楽器の塗装面が楽器収容ケース内面に接触する面積が、塗装面全体の１０％以下とされている請求項１〜７のいずれか１つに記載の楽器収容ケース。
【請求項９】
前記第２保持部は、前記蓋体の側板内面に取付けられた、前記ネックの背面部を押える第１押え部材と、前記本体ケースの内面に取付けられ、前記ネックの表側に設けられた指板が当接する第２押え部材とからなり、前記指板が前記本体ケースの内面に対してほぼ平行に支持されるように構成されている請求項８記載の楽器収容ケース。
【請求項１０】
前記本体ケースの前記蓋体の側板と対向する内面の、前記第１保持部と前記第２保持部との間には、前記擦弦楽器の駒部をケース内面に接触しないように配置させるための凹部が形成されている請求項８又は９記載の楽器収容ケース。
【請求項１１】
前記本体ケースの前記蓋体の側板と対向する内面の、前記第１保持部より上方には、下方に向かうほど前記本体ケースの内方に突出して、前記第１保持部に至る斜面が形成されている請求項８〜１０のいずれか１つに記載の楽器収容ケース。
【請求項１２】
前記蓋体を閉めるとき、前記第１押え部材が、前記楽器の本体部のエンドピンと反対側の縁部に背面側から当接して、該本体部を前記第１保持部に向けて押さえ付けるように構成されている請求項９記載の楽器収容ケース。
【請求項１３】
前記本体ケースの前記蓋体の側板と対向する内面の両側に、弓の両側位置を規制するガイド壁部と、弓を前記内面に着脱可能に固定する固定具とからなる弓保持部が設けられ、前記ガイド壁部の少なくとも１つは、内部が空洞になっていて、そこに部品が収納できるように構成されている請求項１〜１２のいずれか１つに記載の楽器収容ケース。
【請求項１４】
前記本体ケースの少なくとも底部角部に、弾性樹脂からなる保護層が形成されている請求項１〜１３のいずれか１つに記載の楽器収容ケース。
【請求項１５】
前記蓋体と前記本体ケースとの合わせ目は、前記本体ケースの上端面から前記幅狭の両側面に沿って下方に伸びた後、前記一方の幅広の面の中央部を水平に横切るような形状をなしている請求項４記載の楽器収容ケース。
【請求項１６】
前記本体ケースは、その上下端面側から見たとき、前記蓋体の側板と対向する壁部の両側角部が面取りされた形状をなしている請求項１〜１５のいずれか１つに記載の楽器収容ケース。
【発明の詳細な説明】
【技術分野】
【０００１】
本発明は、バイオリンやチェロ等の楽器を、狭い場所でも容易に出し入れすることができる楽器収容ケースに関する。
【背景技術】
【０００２】
従来、種々の楽器は所定のケースに収容されて持ち運びされている。楽器の中でも、弦が張られて一方向に長いバイオリンやチェロ等の楽器は、次のようなケースに収容されることが一般的である。
【０００３】
すなわち、楽器の長手方向に沿って伸びる縦長箱状の本体ケースと、該ケースの長手方向に沿った一側辺にヒンジを介して開閉可能に取付けられた蓋体とを有するケースが広く用いられている。そして、本体ケースに対して、蓋体を横方向に開くことにより、本体ケースが開口して楽器を出し入れできるようになっている。
【０００４】
上記の横開きのケースとして、例えば、下記特許文献１には、上部開口を有する本体ケース（箱体）と、該上部開口を覆う蓋体と、楽器の本体部側面形状に略合わせた形状の側壁を有する収納部が形成され、該箱体内に収容される緩衝材とを備えた楽器収納ケースであって、前記箱体内に収納された楽器の本体部側面に接近及び離反する方向に移動可能な、前記緩衝材の収納部側壁の一部である移動部を、該楽器の本体部側面に接近する方向に移動させる緩衝材移動装置を備えた楽器収納ケースが開示されている。この楽器収納ケースにおいても、前記本体ケースに対して蓋体を横開きした後、楽器が出し入れされるようになっている。
【先行技術文献】
【特許文献】
【０００５】
【特許文献１】特開２００６−２２０９４５号公報
【発明の概要】
【発明が解決しようとする課題】
【０００６】
しかし、本体ケースに対して蓋体を横開きする態様のケースでは、次のような問題があった。すなわち、楽器奏者が演奏会場等において、楽器を取出す際には、縦長の本体ケースを適当な箇所に置いた後、蓋体を横開きする必要がある。しかし、演奏会場等は、他の楽器奏者や楽器等で狭いことが多い。そのため、本体ケースを置くのに適当なスペースを確保しにくく、取出しにくいことがあった。
【０００７】
また、上記ケースには、通常、本体ケースに対して蓋体を閉じた状態に保持する止め具が設けられている。しかし、この止め具を掛け忘れた状態でケースを持ち上げたり、或いは、止め具が搬送途中で外れたりした場合、本体ケースに対して蓋体が大きく横開きして、本体ケースから楽器が落下してしまう虞れがあった。
【０００８】
更に、上記ケースは、本体ケースに対して蓋体が大きく横開きし、本体ケースの開口部周縁に蓋体の周縁部が当接して閉じる構造となっている。しかし、このような開閉して互いに当接する周壁部分は比較的剛性が確保しにくいので、その部分で肉厚を厚くすることが多く、ケースの重量増加の原因となっていた。
【０００９】
したがって、本発明の目的は、狭い場所であっても楽器を容易に出し入れすることができると共に、楽器の落下を抑制でき、しかも、軽量化を図ることができる楽器収容ケースを提供することにある。
【課題を解決するための手段】
【００１０】
上記目的を達成するため、本発明の楽器収容ケースは、一方向に長い楽器を収容する楽器収容ケースであって、その長手方向を上下にして設置した状態で、楽器を出し入れできるようにしたものにおいて、
上端面及び一部側面の上部が開口された有底筒状の本体ケースと、
前記本体ケースの上端面開口部に適合する天板及び前記本体ケースの一部側面開口部に適合する側板を有し、前記側板の下端部を前記本体ケースにヒンジを介して回動可能に取付けられ、前記本体ケースの上端面及び一部側面の開口部を開閉可能に覆う蓋体とを備えることを特徴とする。
【００１１】
上記発明によれば、一方向に長い楽器を収容する楽器収容ケースであって、その長手方向を上下にして設置した状態で、楽器を出し入れできるようにしたので、演奏会場などの狭い場所でも無理な体勢をとることなく、楽器を出し入れすることができる。
【００１２】
また、本体ケースと蓋体との間に設けられる止め具を掛け忘れて楽器収容ケースを持ち上げたり、止め具が外力によって搬送途中で外れたりしたような場合でも、楽器が内部から落下する虞れを少なくすることができる。
【００１３】
更に、本体ケースはその開口部より下方部分が筒状をなすため、強度・剛性を高めることができ、壁厚等を薄くしても充分な強度が得られるので、楽器収容ケースを軽量化することが可能となる。
【００１４】
本発明の楽器収容ケースは、前記蓋体を開いて下方に回動させたとき、前記本体ケースの底部と前記蓋体の天板とがほぼ同一平面上に位置し、それぞれを着地させて設置することができるように構成されていることが好ましい。この態様によれば、蓋体を開いて下方に回動させたとき、本体ケースの底部と蓋体の天板とがほぼ同一平面上に位置し、それぞれを着地させて設置することができるようにしたので、楽器の出し入れの際に楽器収容ケースを安定して支持することができる。
【００１５】
本発明の楽器収容ケースは、前記一部側面開口部から見たとき、前記蓋体と前記本体ケースとの合わせ目の両側を結ぶ、本体ケース水平方向に沿った幅は、下方に向かうほど狭くなる形状をなしていることが好ましい。この態様によれば、蓋体と本体ケースとの合わせ目の両側を結ぶ、本体ケース水平に沿った幅が、下方に向かうほど狭くなるように形成されているので、本体ケースの剛性をできるだけ高めることができると共に、楽器収容ケースを横向きにして把持するための取っ手を本体ケースの長さ方向のほぼ中央に取付ける際、取っ手取付部の強度を高めることができる。
【００１６】
本発明の楽器収容ケースは、前記本体ケースは、一対の対向面が幅広でそれと直交する対向面が幅狭の形状をなし、前記一部側面の開口部は、一方の幅広の面と、それに隣接する両側の面とに亘って形成されていることが好ましい。この態様によれば、本体ケースの剛性を損なわずに、開口部をできるだけ広くとって、楽器の出し入れをしやすくすることができる。また、蓋体の側板が、本体ケースの上端面開口部と、本体ケースの幅広の面に形成された開口部と、それに隣接する両側の面に形成された開口部を覆う形状になるので、蓋体の剛性を高めることができる。
【００１７】
本発明の楽器収容ケースは、前記本体ケースの幅広の対向面の両側部が仕切壁で連結され、前記本体ケースの内部の両側部に楽器付属品の収容部が形成されていることが好ましい。この態様によれば、例えば擦弦楽器などに本ケースを適用した場合、弓等の付属品を収容部に収容することができると共に、仕切壁によって本体ケースの剛性をより高めることができる。
【００１８】
本発明の楽器収容ケースは、前記本体ケースの側面中央部に、楽器収容ケースを横向きにして把持するための取っ手が取付けられると共に、本体ケースの上下部分、又は、本体ケースの下部及び蓋体の上部に、前記本体ケースの長手方向を上下にして背負うための背負いバンドが取付けられていることが好ましい。この態様によれば、本体ケースの取っ手を持って楽器収容ケースを横向きにして保持できるだけでなく、背負いバンドを肩に掛けることによって楽器収容ケースを縦向きにして保持することもできる。また、楽器収容ケースを縦向きにして保持した場合には、蓋体の天板が上方に向くので、雨等が楽器収容ケース内部に入りにくくすることができる。
【００１９】
本発明の楽器収容ケースは、炭素繊維の織布で補強された樹脂で形成されていることが好ましい。この態様によれば、軽量で剛性の高い楽器収容ケースを提供できる。
【００２０】
本発明の楽器収容ケースは、前記楽器が、本体部と、この本体部から延出されたネックと、前記本体部の表側に配置された駒部と、この駒部を介して前記本体部及び前記ネックの表側に張設された弦と、前記本体部のネックと反対側の端部にエンドピンを介して取付けられたあご当てとを有する擦弦楽器からなり、前記本体ケースの底部内面に、前記エンドピン近傍を支持する第１保持部が設けられ、前記本体ケースの前記蓋体の側板と対向する内面と、前記蓋体の側板の内面とに、前記ネックを挟持する第２保持部が設けられ、前記楽器の塗装面が楽器収容ケース内面に接触する面積が、塗装面全体の１０％以下とされていることが好ましい。この態様によれば、楽器を、エンドピン近傍を支持する第１保持部と、ネックを挟持する第２保持部とで保持し、楽器の塗装面がケース内面にできるだけ接触しないようにしたので、塗装面に傷が付いたり、クッション材の付着痕が付いたりする不都合を回避できる。
【００２１】
本発明の楽器収容ケースは、前記第２保持部は、前記蓋体の側板内面に取付けられた、前記ネックの背面部を押える第１押え部材と、前記本体ケースの内面に取付けられ、前記ネックの表側に設けられた指板が当接する第２押え部材とからなり、前記指板が前記本体ケースの内面に対してほぼ平行に支持されるように構成されていることが好ましい。この態様によれば、第１押え部材でネックの背面部（塗装されていない部分）を押えると共に、第２押え部材で指板（傷や痕が付きにくい材質からなる部分）を押えることにより、塗装面に触らずに保持することができる。また、指板が本体ケースの内面に対してほぼ平行に支持されるようにすることにより、無駄な空間を少なくして、ケース内に擦弦楽器を効率よく収容できると共に、より安定して保持することができる。
【００２２】
更に、楽器のネックの背面部が第１押え部材により押えられ、同ネックの表側の指板が第２押え部材に当接するので、ネック表側に張設された弦の表側が、第２押え部材に弾性的に当接することとなる。その結果、ケース外部から衝撃や振動等が作用しても、第２押え部材に当接した弦の弾性力によって、それらを吸収して楽器に悪影響を与えることが抑制される。
【００２３】
本発明の楽器収容ケースは、前記本体ケースの前記蓋体の側板と対向する内面の、前記第１保持部と前記第２保持部との間には、前記擦弦楽器の駒部をケース内面に接触しないように配置させるための凹部が形成されていることが好ましい。この態様によれば、第１保持部及び第２保持部間に、擦弦楽器の駒部をケース内面に接触しないように配置させるための凹部が形成されているので、ケースに擦弦楽器を出し入れするときに、駒部をケース内面に接触しにくくすることができると共に、ケース収容時に、駒部がケース内面に接触しないように保持することができ、駒部を効果的に保護することができる。
【００２４】
本発明の楽器収容ケースは、前記本体ケースの前記蓋体の側板と対向する内面の、前記第１保持部より上方には、下方に向かうほど前記本体ケースの内方に突出して、前記第１保持部に至る斜面が形成されていることが好ましい。この態様によれば、ケース内に擦弦楽器をエンドピン側から収容していくときに、同擦弦楽器のエンドピン側が上記斜面により案内されて徐々にケース内方へと移動し、本体部から延出した細いネック側がケース本体内面にほぼ沿って配置されると共に、エンドピン側がネック側よりケース内方側に持ち上げられた状態となり、ケース内に擦弦楽器をバランス良く安定した姿勢で収容保持することができる。
【００２５】
本発明の楽器収容ケースは、前記蓋体を閉めるとき、前記第１押え部材が、前記楽器の本体部のエンドピンと反対側の縁部に背面側から当接して、該本体部を前記第１保持部に向けて押さえ付けるように構成されていることが好ましい。この態様によれば、楽器の本体部のエンドピン近傍が第１保持部で支持され、エンドピンと反対側の縁部が、第１押え部材で第１保持部に向けて押さえ付けられて保持されるようになっているので、楽器の本体部両端がしっかりと支持されて、ケース内において楽器をより安定して保持させることができる。
【００２６】
本発明の楽器収容ケースは、前記本体ケースの前記蓋体の側板と対向する内面の両側に、弓の両側位置を規制するガイド壁部と、弓を前記内面に着脱可能に固定する固定具とからなる弓保持部が設けられ、前記ガイド壁部の少なくとも１つは、内部が空洞になっていて、そこに部品が収納できるように構成されていることが好ましい。この態様によれば、弓保持部により弓を保持することができると共に、ガイド壁部内部の空洞に、弦等の部品を収納することができるので、ケースの使用者の利便性を向上させることができる。
【００２７】
本発明の楽器収容ケースは、前記本体ケースの少なくとも底部角部に、弾性樹脂からなる保護層が形成されていることが好ましい。この態様によれば、楽器収容ケースを落として、衝撃力が加わった場合等に、それを緩和してケースの破損を防止することができる。
【００２８】
本発明の楽器収容ケースは、前記蓋体と前記本体ケースとの合わせ目は、前記本体ケースの上端面から前記幅狭の両側面に沿って下方に伸びた後、前記一方の幅広の面の中央部を水平に横切るような形状をなしていることが好ましい。この態様によれば、合わせ目は、本体ケースの上端面から幅狭の両側面に沿って下方に伸びた後、一方の幅広の面の中央部を水平に横切るような形状をなしているので、本体ケースから蓋体を開いたときの、開口部の開口面積を最大限に確保することができ、ケースに対する楽器の出し入れをスムーズに行うことができる。
【００２９】
本発明の楽器収容ケースは、前記本体ケースは、その上下端面側から見たとき、前記蓋体の側板と対向する壁部の両側角部が面取りされた形状をなしていることが好ましい。この態様によれば、本体ケースの、蓋体の側板と対向する壁部の両側角部が面取りされているので、本体ケース全体を細くスマートな形状として、軽量化及びコンパクト化を図ることができる。
【発明の効果】
【００３０】
本発明によれば、一方向に長い楽器を収容する楽器収容ケースであって、その長手方向を上下にして設置した状態で、楽器を出し入れできるようにしたので、演奏会場などの狭い場所でも無理な体勢をとることなく、楽器を出し入れすることができる。
【００３１】
また、本体ケースと蓋体との間に設けられる止め具を掛け忘れて楽器収容ケースを持ち上げたり、止め具が外力によって搬送途中で外れたりしたような場合でも、楽器が内部から落下する虞れを少なくすることができる。
【００３２】
更に、本体ケースはその開口部より下方部分が筒状をなすため、強度・剛性を高めることができ、壁厚等を薄くしても充分な強度が得られるので、楽器収容ケースを軽量化することが可能となる。
【図面の簡単な説明】
【００３３】
【図１】本発明の楽器収容ケースの一実施形態を示す斜視図である、
【図２】同楽器収容ケースにおいて、蓋体をほぼ９０°下方に回動させて、開口部を半開きにした状態での斜視図である。
【図３】同楽器収容ケースにおいて、蓋体をほぼ１８０°下方に回動させて、開口部を完全に開いた状態での斜視図である。
【図４】同楽器収容ケースにおいて、蓋体をほぼ１８０°下方に回動させて、開口部を完全に開いた状態での側面図である。
【図５】同楽器収容ケースの合わせ目近傍における部分拡大説明図である。
【図６】同楽器収容ケースにおいて、蓋体が上方に回動させて、開口部を閉じた状態での断面斜視図である。
【図７】同楽器収容ケースにおいて、蓋体が上方に回動させて、開口部を閉じた状態での側面図である。
【図８】同楽器収容ケースに収容される楽器の一例を示す斜視図である。
【図９】同楽器収容ケースの持ち運び時の一例を示す説明図である。
【図１０】本発明の楽器収容ケースの他の実施形態を示しており、（ａ）はその斜視図、（ｂ）は平面図である。
【図１１】同楽器収容ケースの底面図である。
【図１２】同楽器収容ケースを透視した場合の要部斜視図である。
【図１３】同楽器収容ケースを透視した場合の要部側面図である。
【図１４】同楽器収容ケースの使用状態を示す斜視図である。
【図１５】本発明の楽器収容ケースの更に他の実施形態を示す斜視図である。
【発明を実施するための形態】
【００３４】
以下、図面を参照して、本発明の楽器収容ケースの一実施形態について説明する。
【００３５】
この楽器収容ケースは、一方向に長い楽器を収容するもので、その長手方向を上下にして設置した状態で、楽器を出し入れできるようにしたものである。図１〜３に示すように、この楽器収容ケース１０は、上端面及び一部側面の上部が開口された有底筒状の本体ケース２０と、該本体ケース２０にヒンジ４０を介して回動可能に取付けられ、本体ケース２０の上端面及び一部側面の開口部を開閉可能に覆う蓋体３０とを備えている。なお、以下の説明において、「上方」、「下方」とは、図１〜４に示すように、本体ケース２０の底部２１を設置面に置いて、本体ケース２０を長手方向に立てた状態（縦向きに置いた状態）にしたときにおける方向を意味している。
【００３６】
また、この楽器収容ケース１０に収容される一方向に長い楽器としては、例えば、バイオリン、チェロ、コントラバス等のいわゆる擦弦楽器や、ギター、琴、琵琶等のいわゆる撥弦楽器が挙げられる。この中でも図８に示すような、本体部２と、該本体部２の長手方向一側から延出されたネック３と、該ネック３の表面側及び本体部２の表面側に亘って所定長さで配設された指板４と、本体部２の表面側のほぼ中央に取付けられた駒部８と、該駒部８に支持されると共に、前記指板４の長手方向に沿って張設された複数の弦４ａと、本体部２のネック３と反対側の端部にエンドピン５を介して取付けられたあご当て６とを有する、擦弦楽器であることが好ましい。擦弦楽器である楽器１は、スティック７ａ及び該スティック７ａの長手方向に沿って平行に張設された弓毛７ｂからなる弓７（図２，３，５参照）を備えている。
【００３７】
前記本体ケース２０は、一方向に長く伸びる横長の板状をなし、その四隅が面取りされて横長八角形状とされた底部２１と、該底部２１の長手方向に沿った両側辺（長辺）の周縁から立設された前後一対の幅広壁２２，２３と、前記底部２１の長手方向に直交する両側辺（短辺）の周縁から立設され、前記一対の幅広壁２２，２３に直交して配置された左右一対の幅狭壁２４，２５とを有している。一対の幅広壁２２，２３の幅方向両側部は、前記底部２１の形状に対応して、幅狭壁２４，２５に向けて斜めに折曲された形状となっている（図２，３参照）。上記幅広壁２２，２３と、幅狭壁２４，２５とが、本発明における側面を構成している。また、以下に説明する実施形態では、本体ケース２０の幅広壁２３の内面が、本発明における「本体ケースの前記蓋体の側板と対向する内面」を意味している。
【００３８】
上記構造の本体ケース２０の上端面には、後述する蓋体３０の天板３１に適合する形状をなす上端面開口部２６が形成されている。更に、一方の幅広壁２２及び左右一対の幅狭壁２４，２５が所定形状に切欠かれて、本体ケース２０の一部側面が開口して、一部側面開口部２８が形成されている。この一部側面開口部２８は、後述する蓋体３０の側板３３に適合する形状をなしている。
【００３９】
すなわち、図２，３に示すように、前面側の幅広壁２２の幅方向中央の上端面（言い換えると一部側面開口部２８の下端縁）２８ａは、底部２１に対して平行でかつ本体ケース２０の高さのほぼ中間部に形成されている。また、一対の幅狭壁２４，２５の上方部分は、下方部分の半分の板幅とされ、蓋体３０の側板３３に適合する半割り状をなし、それらの内側端面２８ｂ，２８ｂが、長手方向に沿って平行に形成されている。更に、上端面２８ａの両端及び各内側端面２８ｂ，２８ｂの下端は、一部側面開口部２８の開口幅を底部２１に向かって次第に狭くするように、斜めに形成された斜め端面２８ｃ，２８ｃによりそれぞれ連結されている。各斜め端面２８ｃは、幅広壁２２及び両幅狭壁２４，２５に亘って形成されている。そして、これらの上端面２８ａ、内側端面２８ｂ，２８ｂ、及び斜め端面２８ｃ，２８ｃで囲まれた本体ケース２０の内側部分が、本発明における一部側面開口部２８をなしている。
【００４０】
以上のように、この実施形態における本体ケース２０は、一対の対向面（幅広壁２２，２３）が幅広でそれと直交する対向面（幅狭壁２４，２５）が幅狭の、全体としてフラットな形状をなしていると共に、一部側面開口部２８は、一方の幅広の面（幅広壁２２）と、それに隣接する両側の面（幅狭壁２４，２５）とに亘って形成されている。ここで全体としてフラットな形状をなしているとは、平面的に見て一方向に細長く伸びると共に平べったい形状をなすことを意味しており、例えば、底部を、横長の四角形状や、長径及び短径を有する楕円形状にし、それに対応した形状で幅広壁及び幅狭壁を長く延設させた構造等を意味している。
【００４１】
一方、この実施形態における蓋体３０は、本体ケース２０の上端面開口部２６に適合する天板３１と、同本体ケース２０の一部側面開口部２８に適合して半割り形状をなす側板３３とを有している。天板３１は、本体ケース２０の底部２１と同一形状の横長八角形状をなしており、この天板３１の長辺及びそれに隣接する両短辺の中間部に至る周縁から側板３３が延設されている（図３参照）。そして、図１に示すように、蓋体３０を上方に回動させて、本体ケース２０の両開口部２６，２８を閉じたとき、側板３３の前方部分が、本体ケース２０の幅広壁２２に対して、段差がなく平滑な同一面となるように形成され、同側板３３の両側部分も、左右の両幅狭壁２４，２５に対して段差なく平滑な同一面となるように形成されている。
【００４２】
側板３３の幅方向中央の下端面３３ａは、天板３１に対して平行に形成され、同側板３３の両側の内側端面３３ｂ，３３ｂは、長手方向に沿って平行に形成され、更に、下端面３３ａの両端及び各内側端面３３ｂ，３３ｂは、斜め端面３３ｃにより連結されている。また、図１に示すように、前記幅広壁２２の表面側の上端面２８ａ周縁、及び、前記側板３３の表面側の下端面３３ａ周縁には、所定間隔を設けて２組のヒンジ４０，４０がそれぞれ固設されている。その結果、本体ケース２０に対して蓋体３０が上下方向に回動可能に取付けられるようになっている。なお、ヒンジ４０は、蓋体３０を上方に回動させて開口部を閉じたときに外部から見えないように、本体ケース２０及び蓋体３０の裏側に配置してもよく、その構造も特に限定されるものではない。
【００４３】
そして、蓋体３０を上方に回動させると、本体ケース２０の上端面２８ａ、両内側端面２８ｂ，２８ｂ、斜め端面２８ｃ，２８ｃに、蓋体３０の下端面３３ａ、両内側端面３３ｂ，３３ｂ、斜め端面３３ｃ，３３ｃがそれぞれ当接して、両開口部２６，２８が閉塞される。このとき、一部側面開口部２８の各端面と側板３３の各端面とが互いに当接してなる合わせ目４１（図１参照）は、下方に向かうほど一部側面開口部２８及び側板３３の幅が狭くなる形状をなしている。言い換えると、一部側面開口部２８から見たとき、蓋体３０と本体ケース２０との合わせ目４１の両側を結ぶ、本体ケース水平方向に沿った幅は、下方に向かうほど狭くなる形状をなしている。
【００４４】
一方、蓋体３０を下方に回動させると、本体ケース２０の両開口部２６，２８が開くようになっている。このとき、この実施形態では、蓋体３０を開いて下方に回動させたとき、本体ケース２０の底部２１と蓋体３０の天板３１とがほぼ同一平面上に位置し、それぞれを着地させて設置することができるように構成されている（図３，４参照）。
【００４５】
これについて図４の楽器収容ケース１０の側面図を併せて参照すると、この実施形態においては、本体ケース２０の底部２１から幅広壁２２の上端面２８ａまでの長さＬ１と、蓋体３０の天板３１から側板３３の下端面３３ａまでの長さＬ２とを同じ長さとすること、すなわち、楽器収容ケース１０の長手方向の開閉する一部側面を均等な長さで２分割した構造とすることにより、ヒンジ４０を介して蓋体３０が下方に回動したときに、底部２１と蓋体３０の天板３１とがほぼ同一平面上に位置するようになっている。
【００４６】
ただし、上記Ｌ１を本体ケースの高さＬの半分よりも長くし、上記Ｌ２を本体ケースの高さＬの半分よりも短くして、高さ方向における開口部の長さを短くしてもよく、その場合には、蓋体３０を下方に回動させたとき、蓋体３０の天板３１を着地させることができないので、蓋体３０を開いたときの楽器収容ケース１０の安定性がやや損なわれるが、本体ケース２０の強度を高めることができるというメリットがある。
【００４７】
また、図４に示すように、前記合わせ目４１を構成する各端面のうち、本体ケース２０における底部２１に対する斜め端面２８ｃの角度θ、及び、蓋体３０における天板３１に対する斜め端面３３ｃの角度θは、０〜７５°であることが好ましく、４５〜７０℃であることがより好ましい。上記角度θが小さいほど開口部２８が大きくなるので、楽器を取出しやすくなるが、本体ケース２０の強度が低下する傾向がある。逆に上記角度θが大きいほど、本体ケース２０の強度は向上するが、楽器を取出しにくくなる。なお、斜め端面２８ｃ，３３ｃの角度を規定する線分は、各斜め端面の内側端面に対する連結部及び上下端面に対する連結部（共に黒丸●で示す）を結ぶ線分を意味する。斜め端面２８ｃ，３３ｃは、図４の部分拡大図において想像線で示すように、水平面と垂直面を繰り返すジグザグ面であってもよいし、円弧状等に屈曲した面を含んでいてもよい。
【００４８】
ところで、上述したように、蓋体３０を上方に回動させて開口部を閉じると、本体ケース２０及び蓋体３０の各端面がそれぞれ当接して、合わせ目４１をなすように構成されているが、この合わせ目４１には次の部材が装着されていることが好ましい。すなわち、図５は、一例として、本体ケース２０の幅狭壁２４，２５の内側端面２８ｂ，２８ｂと、蓋体３０の内側端面３３ｂとの合わせ目を平面断面にして見た図であるが、それぞれの端面にエラストマーやゴム等からなる弾性部材４１ａ、４１ｂが装着されている。そして、本体ケース２０の内側端面２８ｂ，２８ｂに装着された弾性部材４１ａの当接面は凹んでおり、蓋体３０の内側端面３３ｂに装着された弾性部材４１ｂの当接面は、弾性部材４１ａの凹み部分に適合する凸状をなしている。このような弾性部材４１ａ、４１ｂが、前記合わせ目４１の全周に形成されている。なお、この実施形態では、図１〜４及び図６，７では便宜上、弾性部材４１ａ，４１ｂを省略している。
【００４９】
したがって、蓋体３０を上方に回動させると、弾性部材４１ａの凹み部分に弾性部材４１ｂの凸部分が弾性的に嵌合し、合わせ目４１が密接した状態で、本体ケース２０の両開口部２６，２８が閉塞されるようになっている。このように、２つの弾性部材４１ａ，４１ｂにより合わせ目４１が密接した状態で、蓋体３０が閉じられるので、開口部２６，２６の密閉性をより向上させることができ、外部からの水分等の侵入を防止できるようになっている。なお、弾性部材４１ａ，４１ｂの凹凸は逆であってよく、更に弾性部材の形状は図５に示すものに限定されるものでもなく、他の構造を採用することもできる。
【００５０】
また、上記本体ケース２０及び蓋体３０には、蓋体３０を上方に回動させて開口部を閉じたときに、蓋体３０を閉じた状態にロックする止め具４３が設けられている。この実施形態では、楽器収容ケース１０の、長手方向上方の両側の合わせ目４１，４１に、雌雄嵌合する止め具４３，４３がそれぞれ取付けられている（図１〜３及び図６参照）。各止め具４３は、本体ケース２０の内側端面２８ｂの上方周縁に固設され、段部を有する第１金具４３ａと、蓋体３０の内側端面３３ｂの上方周縁に固設され、第１金具４３ａの段部に嵌合する舌片を有する第２金具４３ｂとからなっている。
【００５１】
更に、本体ケース２０の幅狭壁２５の長手方向中央部には、楽器収容ケース１０を横向きにして把持するための取っ手４４が取付けられている。それと共に、本体ケース２０の幅広壁２２の下部、及び、蓋体３０の側板３３の上部に、本体ケース２０の長手方向を上下にして背負うための背負いバンド４５が取付けられている。図１に示すように、この実施形態では、側板３３の左右幅方向の一側（図中右側）に、背負いバンド４５の上端が連結され、幅広壁２２の幅方向他側（図中右側）に、同背負いバンド４５の下端が連結され、楽器収容ケース１０の上下方向に沿って斜めに背負いバンド４５が設けられている。なお、背負いバンド４５は、本体ケース２０の背面側の幅広壁２３（幅広壁２２の反対側）の上下部分に斜めに配設してもよく、特に限定されるものではない。
【００５２】
図２，３に示すように、本体ケース２０における幅広の対向面の両側部が仕切壁４７，４７で連結されており、本体ケース２０の内部の両側部に、楽器付属品である前記弓７の収容部４８，４８が形成されている。すなわち、本体ケース２０の幅広壁２２，２３の幅方向両側部が、板状の仕切壁４７，４７でそれぞれ連結されていて、左右一対の収容部４８，４８が形成されている。各仕切壁４７の上端の一部側面開口部２８側は、斜めにカットされた形状をなしている。
【００５３】
上記収容部４８に関連して、本体ケース２０の両幅狭壁２４，２５の上方内側面には、収容部４８に収容される弓７を、ケース内面に着脱可能に固定するための、固定具４９が配設されている。図２，３，６，７を参照すると、この固定具４９は、各幅狭壁２４，２５の内側面に固設された板状の基部４９ａと、該基部４９ａに対して回転可能に取付けられた板状の回転引掛部４９ｂとからなる（図６参照）。そして、常時は基部４９ａに対して回転引掛部４９ｂを同じ向きに回転させておき、収容部４８に収容された弓７を保持する際には、弓７のスティック７ａと弓毛７ｂとの間に回転引掛部４９ｂを挿入した後、同回転引掛部４９ｂを基部４９ａに対して９０°回転させることにより、弓７を保持固定できるようになっている（図７参照）。
【００５４】
上記本体ケース２０及び蓋体３０は、例えばエポキシ樹脂、不飽和ポリエステル樹脂、ビニルエステル樹脂、ポリイミド樹脂などの熱硬化性樹脂や、ポリエチレン、ポリプロピレン、ポリテトラフルオロエチレン、ポリカーボネート、アクリル樹脂、ナイロン、ＡＢＳ樹脂などの熱可塑性樹脂等で形成することができる。この場合、補強繊維で強化された樹脂で形成することが好ましく、炭素繊維からなる織布で補強された樹脂で形成することがより好ましい。上記のような繊維強化樹脂を用いることにより、軽量で剛性の高い楽器収容ケース１０を提供することができる。
【００５５】
上記構造をなした楽器収容ケース１０には、前述したように、図８に示す本体部２、ネック３、指板４、駒部８、あご当て６等を有する擦弦楽器である楽器１を、好ましく収容することができるようになっている。このような楽器１には、音響特性を改善したり、湿気から保護したりすることを目的として、ニスやポリウレタン等の塗料が多重に塗られている。このような塗料は、完全に乾くのに少なくとも数ヶ月は必要とされており、それまでの間、塗装面に他の部材が接触しないように収容することが望まれる。
【００５６】
上記問題を解決するため、この実施形態の楽器収容ケース１０においては、次の構造を採用している。すなわち、図２，３，６，７に示すように、本体ケース２０の底部２１の内面中央に、楽器１のエンドピン近傍を第１保持部５０が設けられている。この第１保持部５０の上面には、楽器１のエンドピン５が入り込む凹部５０ａが形成され（図６参照）、図７に示すように、楽器１のエンドピン５近傍が第１保持部５０に支持されるようになっている。
【００５７】
更に図６に示すように、本体ケース２０における蓋体３０の側板３３と対向する内面と、蓋体３０の側板３３の内面とに、楽器１のネック３を挟持する第２保持部５２が設けられている。この第２保持部５２は、蓋体３０の側板３３の内面に取付けられた、楽器１のネック３の背面部を押える第１押え部材５３と、本体ケース２０の内面に取付けられ、楽器１のネック３の表側に設けられた指板４が当接する第２押え部材５４とからなり、指板４が本体ケース２０の内面に対してほぼ平行に支持されるように構成されている。前記第１押え部材５３は、蓋体３０の側板３３の、下端側の幅方向中央の内面に固設されており、その突出端面にはネック３の形状に対応した押え凹部５３ａ（図６参照）が形成されている。更に、前記第２押え部材５４は、前記本体ケース２０の幅広壁２３の幅方向中央に、長手方向に沿って延設された板状をなしている（図６参照）。
【００５８】
そして、楽器１は、その底部が第１保持部５０に支持されると共に、ネック３が第１押え部材５３及び第２押え部材５４からなる第２保持部５２により挟持され、楽器１の塗装面が楽器収容ケース１０の内面に接触する面積が、塗装面全体の好ましくは１０％以下、より好ましくは３％以下となるように、楽器収容ケース１０内に楽器１が収容保持されるようになっている（図７参照）。また、各保持部５０，５２は、発泡ポリウレタン等の柔軟でクッション性を有する材料で形成されている。
【００５９】
次に、上記構造からなる本発明の楽器収容ケース１０の使用方法及び作用効果について説明する。
【００６０】
楽器１を楽器収容ケース１０内に収容する際には、本体ケース２０の底部２１を所定箇所に設置して、ケース長手方向を上下にした状態で、蓋体３０を下方に回動させて、上端面開口部２６及び一部側面開口部２８を開く（図２，３参照）。
【００６１】
そして、楽器１の付属品である弓７を、本体ケース２０の両側部に仕切壁４７に画成された各収容部４８，４８に挿入し、固定具４９の回転引掛部４９ｂを、弓７のスティック７ａと弓毛７ｂとの間に挿入後、同回転引掛部４９ｂを基部４９ａに対して９０°回転させて弓７を保持固定する（図７参照）。このように、仕切壁４７により画成された各収容部４８に、バイオリン等の擦弦楽器の付属品である弓７等を収容することができるので、持ち運び時の利便性を高めることができると共に、同仕切壁４７によって本体ケース２０の剛性をより高めることができる。
【００６２】
その後、開口した両開口部２６，２８から、楽器１を、その底部側から本体ケース２０内に挿入していき、楽器１底部のエンドピン５を凹部５０ａに挿入して、エンドピン近傍を第１保持部５０に支持させる。それと共に、楽器１の指板４を板状の第２押え部材５４に当接させ、同第２押え部材５４の上方に設けられた固定糸Ｔ（図６参照）で、指板４及びネック３外周を軽く縛って、ネック３を仮固定する。
【００６３】
次いで、蓋体３０を上方に回動させて、図５に示す本体ケース２０及び蓋体３０の各端面に装着された弾性部材４１ａ，４１ｂを互いに嵌合させて、本体ケース２０の各端面２８ａ，２８ｂ，２８ｃに、蓋体３０の各端面３３ａ，３３ｂ，３３ｃをそれぞれ間接的に当接させることにより、合わせ目４１を閉じて両開口部２６，２８を閉塞する。このとき、蓋体３０の側板３３の内面中央に設けた、第１押え部材５３の押え凹部５３ａが楽器１のネック３の背面部に当接して押えられ、ネック３の表面側の指板４を押える前記第２押え部材５４と相まって、ネック３が第２保持部５２により挟持される。こうして、図７に示すように、第１保持部５０及び第２保持部５２により、楽器収容ケース１０内に楽器１が収容保持される。このとき、この実施形態では、楽器１の塗装面が楽器収容ケース１０内面に接触する面積が、塗装面全体の１０％以下とされている。
【００６４】
その結果、楽器１を、エンドピン５を嵌合させて支持する第１保持部５０と、ネック３を挟持する第２保持部５２とで保持し、楽器１の塗装面がケース内面にできるだけ接触しないようにしたので、塗装面に傷が付いたり、クッション材の付着痕が付いたりする不都合を回避することができる。
【００６５】
また、前記第２保持部５２は、ネック３の背面部を押える第１押え部材５３と、ネック３表側の指板４が当接する第２押え部材５４とからなり、該指板４が本体ケース２０の内面に対してほぼ平行に支持されるように構成されているので、第１押え部材５３でネック３の背面部（塗装されていない部分）を押えると共に、第２押え部材５４で指板４（傷や痕が付きにくい材質からなる部分）を押えることにより、塗装面に触らずに保持することができる。また、指板４が本体ケース２０の内面に対してほぼ平行に支持されるようにすることにより、無駄な空間を少なくして、楽器収容ケース１０内に楽器１を効率よく収容できると共に、より安定して保持することができる。
【００６６】
更に図７に示すように、ケース内に楽器１が収容保持された状態では、楽器１のネック３の背面部が第１押え部材５３により押えられ、同ネック３の表側の指板４が第２押え部材５４に当接するので、ネック表側に張設された弦４ａの表側が、第２押え部材５４に弾性的に当接するようになっている。そのため、例えば、ケース外部から衝撃や振動等が作用しても、第２押え部材５４に弾性的に当接した弦４ａの弾性力によって、それらが吸収されるので、楽器１の本体部２等に悪影響を与えることを最大限抑制することができる。
【００６７】
また、この実施形態における楽器収容ケース１０は、一対の対向面（幅広壁２２，２３）が幅広でそれと直交する対向面（幅狭壁２４，２５）が幅狭の、全体としてフラットな形状をなしていると共に、一部側面開口部２８は、一方の幅広の面（幅広壁２２）と、それに隣接する両側の面（幅狭壁２４，２５）とに亘って形成されている。その結果、本体ケース２０の剛性を損なわずに、両開口部２６，２８の開口幅をできるだけ広くとって、楽器１の出し入れをしやすくすることができる。また、蓋体３０の側板３３が、本体ケース２０の上端面開口部２６と、本体ケース２０の幅広の面に形成された開口部及びそれに隣接する両側の面に形成された開口部（すなわち一部側面開口部２８）とを覆う形状になるので、蓋体３０の剛性を高めることができる。
【００６８】
更に、この実施形態の楽器収容ケース１０において、本体ケース２０の一部側面開口部２８と蓋体３０の側板３３との合わせ目４１は、下方に向かうほど一部側面開口部２８及び側板３３の幅が狭くなるような形状をなしている（図２，３参照）。すなわち、一部側面開口部２８から見たとき、蓋体３０と前記本体ケース２０との合わせ目４１の両側を結ぶ、本体ケース水平方向に沿った幅は、下方に向かうほど狭くなる形状をなしている。このように本体ケース２０の一部側面開口部２８の幅が、下方に向かうほど狭くなるように形成されているので、本体ケース２０の剛性をできるだけ高めることができると共に、楽器収容ケース１０を横向きにして把持するための取っ手４４を、本体ケース２０の長さ方向のほぼ中央に取付ける際、取っ手取付部の強度を高めることができる。
【００６９】
以上のように、蓋体３０を上方に回動させて、両開口部２６，２８を閉じた後、本体ケース２０側の第１金具４３ａと、蓋体３０側の第２金具４３ｂとを互いに嵌合させて、止め具４３により蓋体３０を閉じた状態にロックする。その結果、本体ケース２０に対して蓋体３０が開かないように保持されるので、取っ手４４を把持して、楽器収容ケース１０を横向きにした状態で持ち運ぶことができる。或いは、図９に示すように、背負いバンド４５をたすき掛けのように肩に引き掛けて、楽器収容ケース１０を長手方向を上下にして背負った状態で持ち運んだりすることができる。
【００７０】
このように、この楽器収容ケース１０では、本体ケース２０の取っ手４４を持って、楽器収容ケース１０を横向きにして保持できるだけでなく、背負いバンド４５を肩に掛けることによって、楽器収容ケース１０を縦向きにして保持することもでき、２つの持ち運び方法を適宜用いることができるので、使用者の利便性を向上させることができる。楽器収容ケース１０を縦向きにして保持した場合には、蓋体３０の天板３１が上方に向くので、雨等が楽器収容ケース内部に入りにくくすることができる。
【００７１】
そして、楽器収容ケース１０から楽器１を取り出す際には、まず、本体ケース２０の底部２１を所定箇所に設置する。その後、前記止め具４３のロックを解除して、蓋体３０を下方に回動させて縦方向に開く。その結果、図２，３に示すように、本体ケース２０の両開口部２６，２８が開くと共に、本体ケース２０の底部２１と蓋体３０の天板３１とを、それぞれ着地させて設置することができる（図３，４参照）。
【００７２】
したがって、この状態で、固定糸Ｔを解いた後、楽器１のネック３や本体部２の上方を把持して、上方に持ち上げることにより、本体ケース２０内から楽器１を抜き出すことができる。また、演奏終了後、楽器１をケース１０内に収容するときは、前述したように楽器１の底部から収容する。
【００７３】
このように、この楽器収容ケース１０においては、ケース長手方向を上下にして設置した状態で、楽器１を出し入れできるようにしたので、演奏会場などの狭い場所でも無理な体勢をとることなく、楽器１を出し入れすることができる。また、本体ケースの底部と蓋体の天板とを、それぞれを着地させて設置することができるようにしたので、楽器１の出し入れの際に楽器収容ケース１０を安定して支持することができる。
【００７４】
更に、この楽器収容ケース１０においては、上述したように本体ケース２０の両開口部２６，２８に対して、蓋体３０を縦開きできるように構成したので、前記止め具４３を掛け忘れて蓋体３０を閉じた状態にロックしない状態で、楽器収容ケース１０を持ち上げたり、或いは、止め具４３が外力によって搬送途中で外れたりしたような場合でも、楽器１が内部から落下する虞れを少なくすることができる。
【００７５】
更に、本体ケース２０はその開口部より下方部分が筒状をなすため、強度・剛性を高めることができ、壁厚等を薄くしても充分な強度が得られるので、楽器収容ケース１０を軽量化することが可能となる。
【００７６】
なお、この楽器収容ケース１０は、前述したように、ケース長手方向を上下にして設置した状態で、楽器１を出し入れできるようにしたことを特徴にしているが、スペースが広くとれるところでは、楽器収容ケース１０を横に寝かせた状態で、蓋体３０を開いて楽器１を出し入れしてもよいことは勿論であり、楽器収容ケース１０を横に寝かせた状態で楽器１を出し入れする方が、より安定させて作業を行うことができる。
【００７７】
図１０〜１４には、本発明の楽器収容ケースの他の実施形態が示されている。なお、前記実施形態と実質的に同一部分には同符号を付してその説明を省略する。
【００７８】
この実施形態の楽器収容ケース１０ａは、前記実施形態と同様に、有底筒状の本体ケース２０ａと、同本体ケース２０ａにヒンジ４０を介して回動可能に取付けられた蓋体３０ａとを有している。
【００７９】
前記実施形態の楽器収容ケース１０は、横断面が略横長八角形状の細長ケース状をなしていたが、この実施形態の楽器収容ケース１０ａは、横断面が略長方形状の細長ケース状をなしている。更に詳しくは、図１０（ｂ）及び図１１に示すように、この本体ケース２０ａは、その上下端面側から見たとき、幅広壁２３（蓋体３０ａの側板３３と対向する壁部）の両側角部２３ａ，２３ａが、所定角度で面取りされた形状となっている。このように、本体ケース２０ａの幅広壁２３の両側角部２３ａ，２３ａが面取りされているので、本体ケース２０ａ全体を細くスマートな形状として、軽量化及びコンパクト化を図ることができる。一方、本体ケース２０ａの幅広壁２２（蓋体３０ａの側板３３側の壁部）の両側角部２２ａ，２２ａ、及び、蓋体３０ａの側板３３の両側角部３３ｄ，３３ｄは、丸みを帯びた円弧状をなしている。
【００８０】
また、蓋体３０ａと本体ケース２０ａとの合わせ目４１は、本体ケース２０ａの上端面から、幅狭の両側面に沿って下方に伸びた後、一方の幅広の面の中央部を水平に横切るような形状をなしている。すなわち、この合わせ目４１は、本体ケース２０ａの上端面から、両幅狭壁２４，２５の幅方向中間部に沿って下方（底部２１側）に伸び、本体ケース２０ａの高さ方向中間部の手前側から、一方の幅広壁２２に向けてテーパ状に立ち上がり、本体ケース２０ａの高さ方向中間部を水平（底部２１と平行）に横切る形状をなしている（図１０（ａ）参照）。このような合わせ目４１とすることにより、本体ケース２０ａから蓋体３０ａを開いたときの、開口部の開口面積を最大限に確保することができ、楽器収容ケース１０ａに対する楽器１の出し入れをスムーズに行うことができる。
【００８１】
また、前記実施形態の図５と同様に、本体ケース２０ａの端面及び蓋体３０ａの端面の両者には、それぞれエラストマーやゴム等からなる弾性部材４１ｃ，４１ｃが装着されており（図１４参照）、本体ケース２０ａの一部側面開口部２８を蓋体３０ａで閉じたときに、その合せ目４１が密接して、防水性が向上するようになっている。
【００８２】
更に、図１１に示すように、本体ケース２０ａの少なくとも底部角部には、ウレタン樹脂や、フッ素ゴム、シリコーンゴム等の弾性樹脂からなる保護層７０が形成されている。ここでは、底部２１外周に弾性樹脂からなる枠体７１が装着され、この角部から底部２１の中央に向けて保護層７０が延設されて、底部２１の各角部が保護されるようになっている。また、図１０（ａ），（ｂ）に示すように、蓋体３０ａの天板３１外周にも、枠体７１が装着され、その角部から延設された保護層７０により、天板３１の各角部が保護されている。このような保護層７０を設けることにより、楽器収容ケース１０ａを落下したり、何かがぶつかる等したりして、衝撃力が加わった場合に、それを緩和して楽器収容ケース１０ａの破損を防止することができる。
【００８３】
図１１に示すように、本体ケース２０ａの底部２１の外面からは、複数の突部２１ａが、前記保護層７０及び枠体７１の厚さよりも高く突設されている。これによれば、楽器収容ケース１０ａを床等に縦向きに置いたときに（前記実施形態の図１〜３参照）、楽器収容ケース１０ａを安定して立設させることができると共に、本体ケース２０ａの底部２１を床等から浮かせることが可能なため、底部２１が汚れるのを抑制することができるようになっている。
【００８４】
また、図１０（ａ），（ｂ）に示すように、蓋体３０ａの天板３１の中央には、引出し式の取っ手３２が取付けられており、楽器収容ケース１０ａを縦向きで把持可能となっている。更に、蓋体３０ａと本体ケース２０ａとの合わせ目４１には、前記実施形態と同様な止め具４３、４３が設けられている。
【００８５】
一方、この実施形態の楽器収容ケース１０ａの内部構造は、次のような構造となっている。
【００８６】
図１２及び図１３に示すように、本体ケース２０ａの底部２１の内面であって、幅広壁２２，２３の幅方向中央には、楽器１のエンドピン５近傍を支持する第１保持部５１が設けられている。この第１保持部５１の幅広壁２３側の端部からは、同幅広壁２３に沿って、第１保持部５１よりも上方となるように、延長部５１ａが延設され、この延長部５１ａの内面に、下方の底部２１に向かうほど、本体ケース２０ａの内方に突出して、第１保持部５１に至る斜面５１ｂが形成されている。すなわち、本体ケース２０ａの幅広壁２３の内面（蓋体３０ａの側板３３と対向する内面）であって、第１保持部５１より上方には、下方に向かうほど、本体ケース２０ａの内方に突出して、第１保持部５１に至る斜面５１ｂが形成されている。また、第１保持部５１の幅広壁２２側の端部から、リブ状の係合部５１ｃが突設されており、楽器１のエンドピン５の裏側に係合する部分となっている（図１３参照）。
【００８７】
また、楽器１のネック３を挟持する第２保持部５２は、蓋体３０ａの側板３３の内面に取付けられた第１押え部材５３ｂと、本体ケース２０ａの、蓋体３０ａの側板３３と対向する内面に取付けられた第２押え部材５４ａとからなる。
【００８８】
この実施形態における第２押え部材５４ａは、本体ケース２０ａの幅広壁２３の幅方向中央に、前記第１保持部５１及び延長部５１ａと同一幅で板状に伸び、前記延長部５１ａよりも上方に、凹部５６を介して配置固定されている。すなわち、本体ケース２０ａの幅広壁２３の内面の、第１保持部５１と第２保持部５２との間に凹部５６が形成されている。この凹部５６により、ケースに擦弦楽器を出し入れするとき、或いは、ケース内に擦弦楽器を収容保持したときに、その駒部８がケース内面に接触しないようになっている。また、第２押え部材５４の下方側端面は、テーパ面５４ｂをなしており、駒部８のケース内面への接触防止効果が高められている。
【００８９】
更に、第２押え部材５４ａの上記テーパ面５４ｂ近傍であって、ケース内方側の面には、一対のネック保持部５５，５５が突設されている。これら一対のネック保持部５５，５５が、ケース収容時における楽器１のネック３の両側部を保持して、ネック３の横ずれ等を防止できるようになっている。なお、各ネック保持部５５の内面はテーパ状をなし、一対のネック保持部５５，５５内にネック３を受け入れやすくなっている。
【００９０】
一方、この実施形態における第１押え部材５３ｂは、図１４に示すように、その基部が蓋体３０ａの側板３３の幅方向両側に固定されていると共に、ケース内方に向けて所定高さで突出し、その突出端部にネック形状に対応した押え凹部５３ａが形成され、同押え凹部５３ａの両側は、円弧状に丸みを帯びた肩部５３ｄ，５３ｄをなしている。この第１押え部材５４ａは、蓋体３０ａを閉めるときに、楽器１の本体部２のエンドピン５と反対側の縁部に背面側から当接して、該本体部２を第１保持部５１に向けて押さえ付けるようにするものである。
【００９１】
図１２に示すように、本体ケース２０ａの幅広壁２３の内面の両側部には、弓７の両側位置を規制するガイド壁部６０が取付けられている。各ガイド壁部６０は、内部が空洞６１となった角柱状をなしており、前記第１保持部５１から第２保持部５２の下端を少し超えた位置に至るまで伸びている。各ガイド壁部６０の下端と、前記第１保持部５１の両側部との間には、ケース内方側に突部を設けた弓支持部６２，６２が配置されている。
【００９２】
また、前述した板状の第２押え部材５４の上端部両側には、ケース内方側に向けて開口した凹部が形成された弓支持部６３，６３が取付けられている。これらの弓支持部６３，６３よりも下方側には、弓７をケース内面に着脱可能に固定するために、前記実施形態と同様の固定具４９が取付けられている。この固定具４９及び上記ガイド壁部６０により、本発明における弓保持部が構成されている。
【００９３】
次に、上記実施形態の楽器収容ケース１０ａの作用効果について説明する。
【００９４】
すなわち、本体ケース２０ａに対して蓋体３０ａを開いて、ケース内に楽器１をその背面を開口部側に向けてその本体部２側から挿入していくと、第１保持部５１よりも上方に設けた斜面５１ｂにより、楽器１のエンドピン５側が案内されて、徐々にケース内方へと移動していき、第１保持部５１にエンドピン５が当接するまで押し込むと、図１３に示すように、斜面５１ｂに沿って楽器１のエンドピン５側が持ち上げられた状態で、エンドピン５近傍が第１保持部５１に支持される。それと共に、楽器１のネック３を、第２押え部材５４ａ上の一対のネック保持部５５，５５内に挿入して、同楽器１の指板４を板状の第２押え部材５４ａに当接させる。このように、この実施形態においては、上記のような斜面５１ｂを設けたことにより、本体部２から延出した細いネック３側がケース本体内面にほぼ沿って配置されると共に、エンドピン５側がネック３側よりケース内方側に持ち上げられた状態となり、ケース内に楽器１をバランス良く安定した姿勢で収容保持することができる。また、上記状態では、リブ状の係合部５１ｃが、楽器１のエンドピン５の裏側に係合して、楽器１の浮き上がりが防止されるようになっている（図１３参照）。
【００９５】
また、図１２に示すように、弓保持部内に弓７を挿入して、その下端部を弓支持部６２に突き当たるまで挿入すると共に、同弓７のスティック７ａの上端部を弓支持部６３の凹部に嵌入し、その後、固定具４９の回転引掛部４９ｂを基部４９ａに対して９０°回転させることにより、弓保持部内に弓７を保持することができる。なお、弓保持部を構成するガイド壁部６０の空洞６１内には、弓７の予備の弦等の部品を収容することができるので、利便性がよい。
【００９６】
その後、図１４に示すように蓋体３０ａを閉じると、第１押え部材５３ｂの押え凹部５３ａ内に、楽器１のネック３が入り込むと共に、同第１押え部材５３ｂの両肩部５３ｄ，５３ｄが、楽器１の本体部２の、エンドピン５と反対側の縁部に背面側から当接して、本体部２が第１保持部５０に向けて押し込まれて、第１押え部材５３ｂ及び第２押え部材５４ａによりネック３が挟持された状態で、本体ケース２０ａの開口部が閉塞されて、ケース内に楽器１が収容保持される（図１３参照）。
【００９７】
このように、エンドピン５と反対側の縁部が、第１押え部材５３ｂで第１保持部５１に向けて押されて挿入されるようになっているので、ケース１０内に楽器１を容易かつ確実に挿入することができる。
【００９８】
そして、この実施形態では、第１保持部５１及び第２保持部５２の間に、楽器１の駒部８をケース内面に接触しないように配置させるための凹部５６が形成されていることにより、ケース内に楽器１を収容保持した状態では、凹部５６内に駒部８が位置することによって、駒部８をケース内面に接触しないように保持することができる（図１３参照）。また、この凹部５６を設けたことにより、楽器収容ケース１０ａから楽器１を出し入れするときにも、駒部８をケース内面に接触しにくくすることができる。このように、凹部５６を設けたことにより、ケース内に楽器１を収容したときや、ケース内に楽器１を出し入れするときに、駒部８がケース内部に強く接触することを防止して、駒部８を効果的に保護することができる。
【００９９】
図１５には、本発明の楽器収容ケースの更に他の実施形態が示されている。なお、前記実施形態と実質的に同一部分には同符号を付してその説明を省略する。
【０１００】
この実施形態の楽器収容ケース１０ｂは、蓋体３０ｂの側板３４が、本体ケース２０ｂの開口部に向けて近接して、楽器収容ケース１０ｂの厚さを部分的に減少させるような形状をなしている。すなわち、この蓋体３０ｂの側板３４は、本体ケース２０ｂの上端面から下方に向けて、幅狭の両側面に沿って、一方の幅広面に平行に伸びるフラット面３４ａと、同フラット面３４ａから他方の幅広面に向けて斜めに伸びるテーパ面３４ｂとからなっている。この形態では、楽器収容ケース１０ｂを、より細くスマートに形成して、更なる軽量化及びコンパクト化を達成することができる。
【符号の説明】
【０１０１】
１  楽器
２  本体部
３  ネック
４  指板
４ａ  弦
５  エンドピン
７  弓
７ａ  スティック
７ｂ  弓毛
８  駒部
１０，１０ａ，１０ｂ  楽器収容ケース
２０，２０ａ，２０ｂ  本体ケース
２１  底部
２１ａ 突部
２２，２３  幅広壁
２２ａ，２２ａ  両側角部
２３ａ，２３ａ  両側角部
２４，２５  幅狭壁
２６  上端面開口部
２８  一部側面開口部
２８ａ  上端面
２８ｂ  内側端面
２８ｃ  斜め端面
３０，３０ａ，３０ｂ  蓋体
３１  天板
３２  取っ手
３３  側板
３３ａ  下端面
３３ｂ  内側端面
３３ｃ  斜め端面
３３ｄ，３３ｄ  両側角部
４０  ヒンジ
４１  合わせ目
４１ａ，４１ｂ，４１ｃ  弾性部材
４３  止め具
４３ａ  第１金具
４３ｂ  第２金具
４４  取っ手
４５  背負いバンド
４７  仕切壁
４８  収容部
４９  固定具
４９ａ  基部
４９ｂ  回転引掛部
５０，５１  第１保持部
５０ａ  凹部
５１ａ  延長部
５１ｂ  斜面
５１ｃ  係合部
５２  第２保持部
５３，５３ｂ  第１押え部材
５３ａ  押え凹部
５３ｄ  肩部
５４，５４ａ  第２押え部材
５４ｂ  テーパ面
５５  ネック保持部
５６  凹部
６０  ガイド壁部
６１  空洞
６２  弓支持部
６３  弓支持部
Ｔ  固定糸
【図１】
2010271698.tif 000003
【図２】
2010271698.tif 000004
【図３】
2010271698.tif 000005
【図４】
2010271698.tif 000006
【図５】
2010271698.tif 000007
【図６】
2010271698.tif 000008
【図７】
2010271698.tif 000009
【図８】
2010271698.tif 000010
【図９】
2010271698.tif 000011
【図１０】
2010271698.tif 000012
【図１１】
2010271698.tif 000013
【図１２】
2010271698.tif 000014
【図１３】
2010271698.tif 000015
【図１４】
2010271698.tif 000016
【図１５】
2010271698.tif 000017